(57)【要約】本発明は、送信側及び受信側のＭＡＣ層間のＥ−ＤＣＨ伝送のために要求されたアップリンク及びダウンリンク制御情報を伝送するための無線通信システムにおいて、制御情報を伝送する装置及び方法に関する。前記送信側のＭＡＣ層は、ＭＡＣ  ＰＤＵをＭＡＣ制御ＰＤＵとＭＡＣデータＰＤＵに分け、前記ＭＡＣデータＰＤＵによりデータを、前記ＭＡＣ制御ＰＤＵによりアップリンク及びダウンリンク制御情報を前記受信側に伝送する。前記ＭＡＣ制御ＰＤＵは、ＭＡＣ  ＰＤＵのタイプを示す識別子及び該当ＭＡＣ制御ＰＤＵのタイプを識別するためのサブ識別子を含む。
2007523520.tif 000002
【特許請求の範囲】
【請求項１】
無線通信システムの移動端末において、アップリンク用プロトコルデータユニットを生成する第１媒体アクセス制御モジュール及び双方向プロトコルデータユニットを生成する第２媒体アクセス制御モジュールを提供する段階と、
前記第１媒体アクセス制御モジュールにおいて制御情報を生成する段階と、
前記アップリンク用プロトコルデータユニットに前記生成された制御情報を含める段階と、
前記アップリンク用プロトコルデータユニットに前記制御情報の存在を示す第１インジケータを含める段階と、
前記無線通信システムのネットワークに単方向方式で前記アップリンク用プロトコルデータユニットを伝送する段階と
を含むことを特徴とする無線通信システムにおけるアップリンク用プロトコルデータユニット伝送方法。
【請求項２】
前記第１媒体アクセス制御モジュールは、ＭＡＣ−ｅモジュールであり、前記第２媒体アクセス制御モジュールは、ＭＡＣ−ｄモジュールであることを特徴とする請求項１に記載の無線通信システムにおけるアップリンク用プロトコルデータユニット伝送方法。
【請求項３】
前記アップリンク用プロトコルデータユニットは、ＭＡＣ−ｅ制御ＰＤＵであることを特徴とする請求項１に記載の無線通信システムにおけるアップリンク用プロトコルデータユニット伝送方法。
【請求項４】
前記アップリンク用プロトコルデータユニットは、専用チャネルで伝送されることを特徴とする請求項１に記載の無線通信システムにおけるアップリンク用プロトコルデータユニット伝送方法。
【請求項５】
前記専用チャネルは、Ｅ−ＤＣＨ（Ｅｎｈａｎｃｅｄ  Ｄｅｄｉｃａｔｅｄ  Ｃｈａｎｎｅｌ）であることを特徴とする請求項４に記載の無線通信システムにおけるアップリンク用プロトコルデータユニット伝送方法。
【請求項６】
前記専用チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であることを特徴とする請求項４に記載の無線通信システムにおけるアップリンク用プロトコルデータユニット伝送方法。
【請求項７】
前記制御情報は、前記移動端末のバッファ状態情報を含むことを特徴とする請求項１に記載の無線通信システムにおけるアップリンク用プロトコルデータユニット伝送方法。
【請求項８】
前記バッファ状態情報は、少なくとも前記移動端末により伝送されるデータ量を含むことを特徴とする請求項７に記載の無線通信システムにおけるアップリンク用プロトコルデータユニット伝送方法。
【請求項９】
前記制御情報は、前記移動端末の電力状態情報を含むことを特徴とする請求項１に記載の無線通信システムにおけるアップリンク用プロトコルデータユニット伝送方法。
【請求項１０】
前記制御情報は、専用チャネルの伝送開始時間及び伝送時間間隔情報を含むことを特徴とする請求項１に記載の無線通信システムにおけるアップリンク用プロトコルデータユニット伝送方法。
【請求項１１】
前記アップリンク用プロトコルデータユニットは、該アップリンク用プロトコルデータユニットに含まれた制御情報のタイプを示す第２インジケータをさらに含むことを特徴とする請求項１に記載の無線通信システムにおけるアップリンク用プロトコルデータユニット伝送方法。
【請求項１２】
前記アップリンク用プロトコルデータユニットは、前記制御情報を受信するネットワークノードのタイプを示す第２インジケータをさらに含むことを特徴とする請求項１に記載の無線通信システムにおけるアップリンク用プロトコルデータユニット伝送方法。
【請求項１３】
前記ネットワークノードのタイプは、Ｎｏｄｅ  Ｂ及びＳＲＮＣのうち少なくとも１つであることを特徴とする請求項１２に記載の無線通信システムにおけるアップリンク用プロトコルデータユニット伝送方法。
【請求項１４】
無線通信システムの送信側のプロトコルデータユニットを生成する媒体アクセス制御モジュールを提供する段階と、
前記媒体アクセス制御モジュールにおいて少なくとも前記送信側のバッファ状態情報を含む制御情報を生成する段階と、
前記プロトコルデータユニットに前記制御情報を含める段階と、
前記プロトコルデータユニットに前記制御情報の存在を示す第１インジケータを含める段階と、
前記プロトコルデータユニットを受信側に伝送して前記受信側の媒体アクセス制御モジュールが前記制御情報を活用できるようにする段階と
を含むことを特徴とする無線通信システムにおけるプロトコルデータユニット伝送方法。
【請求項１５】
送信側は移動端末であり、受信側はネットワークであることを特徴とする請求項１４に記載の無線通信システムにおけるプロトコルデータユニット伝送方法。
【請求項１６】
送信側はネットワークであり、受信側は移動端末であることを特徴とする請求項１４に記載の無線通信システムにおけるプロトコルデータユニット伝送方法。
【請求項１７】
前記プロトコルデータユニットは、専用チャネルで伝送されることを特徴とする請求項１４に記載の無線通信システムにおけるプロトコルデータユニット伝送方法。
【請求項１８】
前記専用チャネルは、Ｅ−ＤＣＨであることを特徴とする請求項１７に記載の無線通信システムにおけるプロトコルデータユニット伝送方法。
【請求項１９】
前記専用チャネルは、Ｅ−ＤＰＤＣＨであることを特徴とする請求項１７に記載の無線通信システムにおけるプロトコルデータユニット伝送方法。
【請求項２０】
前記バッファ状態情報は、少なくとも前記送信側により伝送されるデータ量を含むことを特徴とする請求項１４に記載の無線通信システムにおけるプロトコルデータユニット伝送方法。
【請求項２１】
前記制御情報は、前記送信側の電力状態情報をさらに含むことを特徴とする請求項１４に記載の無線通信システムにおけるプロトコルデータユニット伝送方法。
【請求項２２】
前記制御情報は、専用チャネルの伝送開始時間及び伝送時間間隔情報をさらに含むことを特徴とする請求項１４に記載の無線通信システムにおけるプロトコルデータユニット伝送方法。
【請求項２３】
前記プロトコルデータユニットは、該プロトコルデータユニットに含まれた制御情報のタイプを示す第２インジケータをさらに含むことを特徴とする請求項１４に記載の無線通信システムにおけるプロトコルデータユニット伝送方法。
【請求項２４】
前記プロトコルデータユニットは、前記制御情報を受信するエンティティのタイプを示す第２インジケータをさらに含むことを特徴とする請求項１４に記載の無線通信システムにおけるプロトコルデータユニット伝送方法。
【請求項２５】
前記エンティティのタイプは、Ｎｏｄｅ  Ｂ及びＳＲＮＣのうち少なくとも１つであることを特徴とする請求項２４に記載の無線通信システムにおけるプロトコルデータユニット伝送方法。
【請求項２６】
前記プロトコルデータユニットは、アップリンク用プロトコルデータユニットであることを特徴とする請求項１４に記載の無線通信システムにおけるプロトコルデータユニット伝送方法。
【請求項２７】
無線通信システムのネットワーク側においてアップリンク用プロトコルデータユニットを受信する第１媒体アクセス制御モジュール及び双方向プロトコルデータユニットを受信する第２媒体アクセス制御モジュールを提供する段階と、
前記第１媒体アクセス制御モジュールにおいて移動端末から単方向方式で前記アップリンク用プロトコルデータユニットを受信する段階と、
前記アップリンク用プロトコルデータユニットに含まれた第１インジケータにより前記アップリンク用プロトコルデータユニットに制御情報が存在するか否かを確認する段階と、
前記第１媒体アクセス制御モジュールにおいて前記アップリンク用プロトコルデータユニットから前記制御情報を抽出する段階と
を含むことを特徴とする無線通信システムにおけるアップリンク用プロトコルデータユニット受信方法。
【請求項２８】
前記第１媒体アクセス制御モジュールは、ＭＡＣ−ｅモジュールであり、前記第２媒体アクセス制御モジュールは、ＭＡＣ−ｄモジュールであることを特徴とする請求項２７に記載の無線通信システムにおけるアップリンク用プロトコルデータユニット受信方法。
【請求項２９】
前記アップリンク用プロトコルデータユニットは、ＭＡＣ−ｅ制御ＰＤＵであることを特徴とする請求項２７に記載の無線通信システムにおけるアップリンク用プロトコルデータユニット受信方法。
【請求項３０】
前記アップリンク用プロトコルデータユニットは、専用チャネルを利用して受信されることを特徴とする請求項２７に記載の無線通信システムにおけるアップリンク用プロトコルデータユニット受信方法。
【請求項３１】
前記専用チャネルは、Ｅ−ＤＣＨであることを特徴とする請求項３０に記載の無線通信システムにおけるアップリンク用プロトコルデータユニット受信方法。
【請求項３２】
前記専用チャネルは、Ｅ−ＤＰＤＣＨであることを特徴とする請求項３０に記載の無線通信システムにおけるアップリンク用プロトコルデータユニット受信方法。
【請求項３３】
前記制御情報は、前記移動端末のバッファ状態情報を含むことを特徴とする請求項２７に記載の無線通信システムにおけるアップリンク用プロトコルデータユニット受信方法。
【請求項３４】
前記バッファ状態情報は、少なくとも前記移動端末により伝送されるデータ量を含むことを特徴とする請求項３３に記載の無線通信システムにおけるアップリンク用プロトコルデータユニット受信方法。
【請求項３５】
前記制御情報は、前記移動端末の電力状態情報を含むことを特徴とする請求項２７に記載の無線通信システムにおけるアップリンク用プロトコルデータユニット受信方法。
【請求項３６】
前記制御情報は、専用チャネルの伝送開始時間及び伝送時間間隔情報を含むことを特徴とする請求項２７に記載の請求項無線通信システムにおけるアップリンク用プロトコルデータユニット受信方法。
【請求項３７】
前記アップリンク用プロトコルデータユニットに含まれた第２インジケータによって前記アップリンク用プロトコルデータユニットに含まれた前記制御情報のタイプを判断する段階と、
前記制御情報のタイプによって前記アップリンク用プロトコルデータユニットから前記制御情報を抽出する段階とをさらに含むことを特徴とする請求項２７に記載の無線通信システムにおけるアップリンク用プロトコルデータユニット受信方法。
【請求項３８】
前記アップリンク用プロトコルデータユニットは、前記制御情報を受信するネットワークノードのタイプを示す第２インジケータを含むことを特徴とする請求項２７に記載の無線通信システムにおけるアップリンク用プロトコルデータユニット受信方法。
【請求項３９】
前記ネットワークノードのタイプは、Ｎｏｄｅ  Ｂ及びＳＲＮＣのうち少なくとも１つであることを特徴とする請求項３８に記載の無線通信システムにおけるアップリンク用プロトコルデータユニット受信方法。
【請求項４０】
無線通信システムの移動端末においてアップリンク用プロトコルデータユニットを生成する第１媒体アクセス制御モジュール及び双方向プロトコルデータユニットを生成する第２媒体アクセス制御モジュールを提供する手段と、
前記第１媒体アクセス制御モジュールにおいて制御情報を生成する手段と、
前記生成された制御情報を前記アップリンク用プロトコルデータユニットに含める手段と、
前記制御情報の存在を示す第１インジケータを前記アップリンク用プロトコルデータユニットに含める手段と、
前記アップリンク用プロトコルデータユニットを単方向方式で前記無線通信システムのネットワークに伝送する手段と
を含むことを特徴とする無線通信システムにおけるアップリンク用プロトコルデータユニット伝送装置。
【請求項４１】
前記第１媒体アクセス制御モジュールは、ＭＡＣ−ｅモジュールであり、前記第２媒体アクセス制御モジュールは、ＭＡＣ−ｄモジュールであることを特徴とする請求項４０に記載の無線通信システムにおけるアップリンク用プロトコルデータユニット伝送装置。
【請求項４２】
前記アップリンク用プロトコルデータユニットは、ＭＡＣ−ｅ制御ＰＤＵであることを特徴とする請求項４０に記載の無線通信システムにおけるアップリンク用プロトコルデータユニット伝送装置。
【請求項４３】
前記アップリンク用プロトコルデータユニットは、専用チャネルを利用して伝送されることを特徴とする請求項４０に記載の無線通信システムにおけるアップリンク用プロトコルデータユニット伝送装置。
【請求項４４】
前記専用チャネルは、Ｅ−ＤＣＨであることを特徴とする請求項４３に記載の無線通信システムにおけるアップリンク用プロトコルデータユニット伝送装置。
【請求項４５】
前記専用チャネルは、Ｅ−ＤＰＤＣＨであることを特徴とする請求項４３に記載の無線通信システムにおけるアップリンク用プロトコルデータユニット伝送装置。
【請求項４６】
前記制御情報は、前記移動端末のバッファ状態情報を含むことを特徴とする請求項４０に記載の無線通信システムにおけるアップリンク用プロトコルデータユニット伝送装置。
【請求項４７】
前記バッファ状態情報は、少なくとも前記移動端末により伝送されるデータ量を含むことを特徴とする請求項４６に記載の無線通信システムにおけるアップリンク用プロトコルデータユニット伝送装置。
【請求項４８】
前記制御情報は、前記移動端末の電力状態情報を含むことを特徴とする請求項４０に記載の無線通信システムにおけるアップリンク用プロトコルデータユニット伝送装置。
【請求項４９】
前記制御情報は、専用チャネルのチャネル伝送開始時間及び伝送時間間隔情報を含むことを特徴とする請求項４０に記載の無線通信システムにおけるアップリンク用プロトコルデータユニット伝送装置。
【請求項５０】
前記アップリンク用プロトコルデータユニットは、該アップリンク用プロトコルデータユニットに含まれた制御情報のタイプを示す第２インジケータをさらに含むことを特徴とする請求項４０に記載の無線通信システムにおけるアップリンク用プロトコルデータユニット伝送装置。
【請求項５１】
前記アップリンク用プロトコルデータユニットは、前記制御情報を受信するネットワークノードのタイプを示す第２インジケータをさらに含むことを特徴とする請求項４０に記載の無線通信システムにおけるアップリンク用プロトコルデータユニット伝送装置。
【請求項５２】
前記ネットワークノードのタイプは、Ｎｏｄｅ  ＢとＳＲＮＣのうち少なくとも１つであることを特徴とする請求項５１に記載の無線通信システムにおけるアップリンク用プロトコルデータユニット伝送装置。
【請求項５３】
無線通信システムの送信側のプロトコルデータユニットを生成する媒体アクセス制御モジュールを提供する手段と、
前記媒体アクセス制御モジュールにおいて少なくとも移動端末のバッファ状態情報を含む制御情報を生成する手段と、
前記制御情報を前記プロトコルデータユニットに含める手段と、
前記制御情報の存在を示す第１インジケータを前記プロトコルデータユニットに含める手段と、
前記プロトコルデータユニットを受信側に伝送して前記受信側の媒体アクセス制御モジュールが前記制御情報を活用できるようにする手段と
を含むことを特徴とする無線通信システムにおけるプロトコルデータユニット伝送システム。
【請求項５４】
送信側は移動端末であり、受信側はネットワークであることを特徴とする請求項５３に記載の無線通信システムにおけるプロトコルデータユニット伝送システム。
【請求項５５】
送信側はネットワークであり、受信側は移動端末であることを特徴とする請求項５３に記載の無線通信システムにおけるプロトコルデータユニット伝送システム。
【請求項５６】
前記プロトコルデータユニットは、専用チャネルを利用して伝送されることを特徴とする請求項５３に記載の無線通信システムにおけるプロトコルデータユニット伝送システム。
【請求項５７】
前記専用チャネルは、Ｅ−ＤＣＨであることを特徴とする請求項５６に記載の無線通信システムにおけるプロトコルデータユニット伝送システム。
【請求項５８】
前記専用チャネルは、Ｅ−ＤＰＤＣＨであることを特徴とする請求項５６に記載の無線通信システムにおけるプロトコルデータユニット伝送システム。
【請求項５９】
前記バッファ状態情報は、少なくとも前記送信側により伝送されるデータ量を含むことを特徴とする請求項５３に記載の無線通信システムにおけるプロトコルデータユニット伝送システム。
【請求項６０】
前記制御情報は、前記移動端末の電力状態情報をさらに含むことを特徴とする請求項５３に記載の無線通信システムにおけるプロトコルデータユニット伝送システム。
【請求項６１】
前記制御情報は、専用チャネルの伝送開始時間及び伝送時間間隔情報をさらに含むことを特徴とする請求項５３に記載の無線通信システムにおけるプロトコルデータユニット伝送システム。
【請求項６２】
前記プロトコルデータユニットは、該プロトコルデータユニットに含まれた制御情報のタイプを示す第２インジケータをさらに含むことを特徴とする請求項５３に記載の無線通信システムにおけるプロトコルデータユニット伝送システム。
【請求項６３】
前記プロトコルデータユニットは、前記制御情報を受信するエンティティのタイプを示す第２インジケータをさらに含むことを特徴とする請求項５３に記載の無線通信システムにおけるプロトコルデータユニット伝送システム。
【請求項６４】
前記エンティティのタイプは、Ｎｏｄｅ  Ｂ及びＳＲＮＣのうち少なくとも１つであることを特徴とする請求項６３に記載の無線通信システムにおけるプロトコルデータユニット伝送システム。
【請求項６５】
前記プロトコルデータユニットは、アップリンク用プロトコルデータユニットであることを特徴とする請求項５３に記載の無線通信システムにおけるプロトコルデータユニット伝送システム。
【発明の詳細な説明】
【技術分野】
【０００１】
本発明は、無線通信システムにおいてプロトコルデータユニットを伝送するための装置及び方法に関し、より詳しくは、制御情報と該制御情報の存在を示すインジケータとを含むプロトコルデータユニットを伝送する装置及び方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワーク（ＣＮ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した移動通信サービスの提供を目標とする。
【０００３】
図１は、従来のＵＭＴＳネットワーク構造１を示す図である。移動端末２又はユーザ装置（ＵＥ）は、ＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）６を介してコアネットワーク４に接続し、前記ＵＴＲＡＮ６は、前記ＵＥ２と前記コアネットワーク４間の通信のための無線接続ベアラを構成して維持及び管理し、エンドツーエンドサービス品質（ＱｏＳ）要求事項を充足させる。
【０００４】
前記ＵＴＲＡＮ６は、複数の無線ネットワークサブシステム（Ｒａｄｉｏ  Ｎｅｔｗｏｒｋ  Ｓｕｂｓｙｓｔｅｍｓ：  ＲＮＳ）８を含み、各ＲＮＳは、複数の基地局１２又は「Ｎｏｄｅ  Ｂ」のための１つの無線ネットワーク制御装置（Ｒａｄｉｏ  Ｎｅｔｗｏｒｋ  Ｃｏｎｔｒｏｌｌｅｒ：  ＲＮＣ）１０を含む。所定の基地局１２に接続したＲＮＣ１０は、１つのセル内で動作する前記ＵＥ２に提供される共有リソースの割り当て及び管理を担当する制御ＲＮＣを意味する。１つのＮｏｄｅ  Ｂには、１つ以上のセルが存在する。前記制御ＲＮＣ１０は、トラヒックロード、セル輻輳（ｃｏｎｇｅｓｔｉｏｎ）、及び新しい無線リンクの承認を制御する。各Ｎｏｄｅ  Ｂ１２は、前記ＵＥ２からアップリンク信号を受信し、前記ＵＥ２にダウンリンク信号を伝送する。各Ｎｏｄｅ  Ｂ１２は、前記ＵＥ２と前記ＵＴＲＡＮ６を接続するアクセスポイントの役割を果たし、前記ＲＮＣ１０は、該当Ｎｏｄｅ  Ｂと前記コアネットワーク４を接続するためのアクセスポイントの役割を果たす。
【０００５】
前記ＵＴＲＡＮ６の無線ネットワークサブシステム８のうち、サービングＲＮＣ１０は、特定ＵＥにサービスを提供するための専用無線リソースを管理するＲＮＣであり、前記特定ＵＥにデータを送信するための前記コアネットワーク４とのアクセスポイントである。前記ＵＥ２に接続された全てのＲＮＣがドリフト（ｄｒｉｆｔ）ＲＮＣであるため、前記ＵＴＲＡＮ６を介して前記ＵＥと前記コアネットワーク４を接続するサービングＲＮＣ１０は１つのみ存在する。前記ドリフトＲＮＣ１０は、ユーザデータのルーティングを容易にし、共有リソースとして符号を割り当てる。
【０００６】
前記ＵＥ２と前記ＵＴＲＡＮ６間のインタフェースは、無線アクセスネットワーク規格に準拠して設定された無線インタフェースプロトコルにより実現されるが、この無線インタフェースプロトコルは、例えば、３ＧＰＰ規格で説明された物理層（Ｌ１）とデータリンク層（Ｌ２）、及びネットワーク層（Ｌ３）からなる。これらの層は、通信システムにおいて公知の開放型システム間相互接続（ＯＳＩ）参照モデルの下位３層に基づく。
【０００７】
図２は、従来の無線インタフェースプロトコルの構造を示す。図２に示すように、前記無線インタフェースプロトコルは、水平的には、物理層と、データリンク層と、ネットワーク層とに区分され、垂直的には、音声信号及びＩＰパケット送信などのデータトラヒックを転送するためのユーザプレーンと、インタフェースの維持及び管理のための制御情報を転送するための制御プレーンとに区分される。
【０００８】
物理層（ＰＨＹ）は、上位層に情報転送サービスを提供し、媒体アクセス制御（ＭＡＣ）層とは転送チャネル（Ｔｒａｎｓｐｏｒｔ  Ｃｈａｎｎｅｌ）で接続される。前記ＭＡＣ層と前記物理層間は、転送チャネルを介してデータを交換する。また、データ送信は、相異なる物理層間、すなわち、送信側（送信機）と受信側（送信機）の物理層間に物理チャネルを介して行われる。
【０００９】
前記第２層（Ｌ２）のＭＡＣ層は、論理チャネルで上位層であるＲＬＣ層にサービスを提供する。前記ＭＡＣは、管理される転送チャネルのタイプによってＭＡＣ−ｄサブレイヤ及びＭＡＣ−ｅサブレイヤなどのいくつかのタイプのサブレイヤに区分される。
【００１０】
図３は、ＤＣＨ（Ｄｅｄｉｃａｔｅｄ  Ｃｈａｎｎｅｌ）及びＥ−ＤＣＨ（Ｅｎｈａｎｃｅｄ  Ｄｅｄｉｃａｔｅｄ  Ｃｈａｎｎｅｌ）の従来の構造を示す図である。図３に示すように、ＤＣＨ１４及びＥ−ＤＣＨ１６は、１つの移動端末が利用する専用転送チャネルである。特に、前記Ｅ−ＤＣＨ１６は、前記ＤＣＨ１４より速い速度で前記ＵＴＲＡＮ６にデータを伝送するために利用される。速い速度でデータを伝送するために、ＨＡＲＱ（Ｈｙｂｒｉｄ  ＡＲＱ）、ＡＭＣ（Ａｄａｐｔｉｖｅ  Ｍｏｄｕｌａｔｉｏｎ  ａｎｄ  Ｃｏｄｉｎｇ）、Ｎｏｄｅ  Ｂ制御スケジューリング（Ｎｏｄｅ  Ｂ  ｃｏｎｔｒｏｌｌｅｄ  ｓｃｈｅｄｕｌｉｎｇ）などの多様な技術が前記Ｅ−ＤＣＨ１６に適用される。
【００１１】
前記Ｅ−ＤＣＨ１６の場合、前記Ｎｏｄｅ  Ｂ１２は、ダウンリンク制御情報を移動端末２に伝送して前記移動端末２のＥ−ＤＣＨ伝送を制御する。前記ダウンリンク制御情報は、前記ＨＡＲＱに対する応答情報（ＡＣＫ／ＮＡＣＫ）、前記ＡＭＣに対するチャネル品質情報（Ｃｈａｎｎｅｌ  Ｑｕａｌｉｔｙ  Ｉｎｆｏｒｍａｔｉｏｎ：  ＣＱＩ）、Ｅ−ＤＣＨ伝送速度情報、Ｅ−ＤＣＨ伝送開始時間及び伝送時間周期情報、及び前記Ｎｏｄｅ  Ｂ制御スケジューリングの伝送ブロックサイズ情報などを含む。
【００１２】
一方、前記端末２は、前記Ｎｏｄｅ  Ｂ１２にアップリンク制御情報を伝送する。前記アップリンク制御情報は、Ｅ−ＤＣＨ伝送速度要求情報、ＵＥバッファ状態情報、及び前記Ｎｏｄｅ  Ｂ制御スケジューリングのＵＥ電力状態情報などを含む。前記Ｅ−ＤＣＨ１６のアップリンク制御情報及びダウンリンク制御情報は、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）のような物理制御チャネルで伝送される。
【００１３】
前記Ｅ−ＤＣＨ１６の場合、ＭＡＣ−ｄフロー（ｆｌｏｗ）１８が前記ＭＡＣ−ｄサブレイヤ２４とＭＡＣ−ｅサブレイヤ２６間で定義される。この場合、専用論理チャネルがＭＡＣ−ｄフローにマッピングされ、該ＭＡＣ−ｄフローが転送チャネルである前記Ｅ−ＤＣＨ１６にマッピングされ、該Ｅ−ＤＣＨ１６が物理チャネルであるＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）２０にマッピングされる。また、前記専用論理チャネルは、転送チャネルである前記ＤＣＨ１４に直接マッピングでき、該ＤＣＨ１４は、ＤＰＤＣＨ（Ｄｅｄｉｃａｔｅｄ  Ｐｈｙｓｉｃａｌ  Ｄａｔａ  Ｃｈａｎｎｅｌ）２２にマッピングされる。
【００１４】
図３に示すように、前記ＭＡＣ−ｄサブレイヤ２４は、特定端末の専用転送チャネルである前記ＤＣＨ１４を管理する。前記ＭＡＣ−ｅサブレイヤ２６は、高速アップリンクデータを伝送するための転送チャネルである前記Ｅ−ＤＣＨ１６を管理する。
【００１５】
送信側のＭＡＣ−ｄサブレイヤは、上位層であるＲＬＣ層から受信されたＭＡＣ−ｄ  ＳＤＵ（Ｓｅｒｖｉｃｅ  Ｄａｔａ  Ｕｎｉｔ）からＭＡＣ−ｄ  ＰＤＵ（Ｐｒｏｔｏｃｏｌ  Ｄａｔａ  Ｕｎｉｔ）を生成する。これに対して、受信側のＭＡＣ−ｄサブレイヤは、下位層から受信された前記ＭＡＣ−ｄ  ＰＤＵからＭＡＣ−ｄ  ＳＤＵを復旧して上位層に伝送する。前記ＭＡＣ−ｄサブレイヤは、ＭＡＣ−ｄフローを介して前記ＭＡＣ−ｄ  ＰＤＵを前記ＭＡＣ−ｅサブレイヤに伝送するか、前記ＤＣＨで前記ＭＡＣ−ｄ  ＰＤＵを物理層に伝送する。前記受信側のＭＡＣ−ｄサブレイヤは、前記ＭＡＣ−ｄ  ＰＤＵに含まれたＭＡＣ−ｄヘッダを利用して前記ＭＡＣ−ｄ  ＳＤＵを復旧し、該ＭＡＣ−ｄ  ＳＤＵを前記上位層に伝送する。
【００１６】
前記送信側ＭＡＣ−ｅサブレイヤは、前記ＭＡＣ−ｄサブレイヤから受信されたＭＡＣ−ｅ  ＳＤＵから生成されたＭＡＣ−ｄ  ＰＤＵからＭＡＣ−ｅ  ＰＤＵを生成する。これに対して、前記受信側のＭＡＣ−ｅサブレイヤは、前記物理層から受信されたＭＡＣ−ｅ  ＰＤＵから前記ＭＡＣ−ｅ  ＳＤＵを復旧して上位層に転送する。この場合、前記ＭＡＣ−ｅサブレイヤは、前記Ｅ−ＤＣＨで前記ＭＡＣ−ｅ  ＰＤＵを前記物理層に伝送する。前記受信側のＭＡＣ−ｅサブレイヤは、前記ＭＡＣ−ｅ  ＰＤＵに含まれたＭＡＣ−ｅヘッダを利用して前記ＭＡＣ−ｅ  ＳＤＵを復旧した後、前記上位層に伝送する。
【００１７】
図４は、従来のＥ−ＤＣＨのプロトコルモデルを示す図である。図４に示すように、前記Ｅ−ＤＣＨをサポートする前記ＭＡＣ−ｅサブレイヤは、前記ＵＴＲＡＮ２６及び前記端末（ＵＥ）２８のＭＡＣ−ｄサブレイヤの下部に存在する。前記ＵＴＲＡＮ２６のＭＡＣ−ｄサブレイヤ３０は、前記Ｎｏｄｅ  Ｂに位置する。前記ＭＡＣ−ｅサブレイヤ３２は、各端末２８に存在する。これに対して、前記ＵＴＲＡＮ２６のＭＡＣ−ｄサブレイヤ３４は、該当端末２８を管理するＳＲＮＣに位置する。各端末２８は、ＭＡＣ−ｄサブレイヤ３６を含む。
【００１８】
従来の技術において、前記Ｅ−ＤＣＨに関する前記アップリンク制御情報及びダウンリンク制御情報を前記物理制御チャネルで伝送すると、これらの制御情報は、一定フォーマットで伝送される。このような方法は、１回に伝送される制御情報の量、及び各端末及びシステム別に均一に設定された伝送時間を要求する。このように、伝送されるアップリンク及びダウンリンク制御情報の量及び前記端末のＥ−ＤＣＨに対して要求される伝送時間を変更することが容易でない。さらに、前記Ｎｏｄｅ  Ｂが前記端末のＥ−ＤＣＨでのデータ伝送を動的に管理するのに限界がある。従って、未来の技術開発に合わせて新しいアップリンク及びダウンリンク制御情報を追加することが困難である。
【発明の開示】
【発明が解決しようとする課題】
【００１９】
従って、本発明の目的は、制御情報と該制御情報の存在を示すインジケータを含むプロトコルデータユニットを伝送するための方法を提供することにある。
【００２０】
本発明の付加的な長所と特徴は以下の説明に記載され、一部は当業者が以下の内容を検討するか、又は発明を実施することにより明確になる。本発明の他の長所と目的は以下に記載の説明、請求項、添付図面に特別に指摘された構成によって実現及び達成される。
【課題を解決するための手段】
【００２１】
このような目的を達成するために、本発明は、無線通信システムにおいてアップリンク用プロトコルデータユニットを伝送する方法で実現される。前記方法は、アップリンク用プロトコルデータユニットを生成する第１媒体アクセス制御モジュール及び双方向プロトコルデータユニットを生成する第２媒体アクセス制御モジュールを提供する段階と、前記第１媒体アクセス制御モジュールにおいて制御情報を生成する段階と、前記制御情報を前記アップリンク用プロトコルデータユニットに含める段階と、前記アップリンク用プロトコルデータユニットに前記制御情報の存在を示す第１インジケータを含める段階と、前記アップリンク用プロトコルデータユニットを単方向方式でネットワークに伝送する段階とを含む。
【００２２】
詳細には、前記第１媒体アクセス制御モジュールはＭＡＣ−ｅモジュールであり、前記第２媒体アクセス制御モジュールはＭＡＣ−ｄモジュールである。前記アップリンク用プロトコルデータユニットは、ＭＡＣ−ｅ  ＰＤＵであり、専用チャネルを利用して伝送される。前記専用チャネルは、Ｅ−ＤＣＨ（Ｅｎｈａｎｃｅｄ  Ｄｅｄｉｃａｔｅｄ  Ｃｈａｎｎｅｌ）又はＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）である。
【００２３】
また、前記制御情報は、移動端末のバッファ状態情報を含み、前記バッファ状態情報は、少なくとも前記移動端末により伝送されるデータ量を含む。さらに、前記制御情報は、移動端末の電力状態情報、専用チャネルの伝送開始時間及び伝送時間間隔情報を含む。
【００２４】
より詳細には、前記アップリンク用プロトコルデータユニットは、該アップリンク用プロトコルデータユニットに含まれた制御情報のタイプを示す第２インジケータをさらに含む。また、前記アップリンク用プロトコルデータユニットは、前記制御情報を受信するネットワークノードのタイプを示す第２インジケータをさらに含み、前記ネットワークノードのタイプは、Ｎｏｄｅ  Ｂ及びＳＲＮＣのうち少なくとも１つである。
【００２５】
本発明の一実施形態において、無線通信システムにおけるプロトコルデータユニット伝送方法は、プロトコルデータユニットを生成する媒体アクセス制御モジュールを提供する段階と、前記媒体アクセス制御モジュールにおいて少なくともバッファ状態情報を含む制御情報を生成する段階と、前記プロトコルデータユニットに前記制御情報を含める段階と、前記プロトコルデータユニットに前記制御情報の存在を示す第１インジケータを含める段階と、前記プロトコルデータユニットを受信側に伝送して前記受信側の媒体アクセス制御モジュールが前記制御情報を活用できるようにする段階とを含む。
【００２６】
詳細には、送信側は移動端末であり、受信側はネットワークである。逆に、送信側がネットワークであり、受信側が移動端末でもよい。
【００２７】
前記プロトコルデータユニットは、専用チャネルを利用して伝送され、前記専用チャネルはＥ−ＤＣＨである。さらに、前記専用チャネルは、Ｅ−ＤＰＤＣＨでもよい。前記バッファ状態情報は、少なくとも送信側により伝送されるデータ量を含む。前記制御情報は、電力状態情報、専用チャネルの伝送開始時間及び伝送時間間隔情報をさらに含む。
【００２８】
より詳細には、前記プロトコルデータユニットは、該プロトコルデータユニットに含まれた制御情報のタイプを示す第２インジケータをさらに含む。前記第２インジケータは、前記制御情報を受信するエンティティのタイプを示し、前記エンティティのタイプは、Ｎｏｄｅ  Ｂ及びＳＲＮＣのうち少なくとも１つの媒体アクセス制御エンティティである。また、前記プロトコルデータユニットは、アップリンク用プロトコルデータユニットである。
【００２９】
本発明の他の実施形態において、無線通信システムにおけるアップリンク用プロトコルデータユニット受信方法は、アップリンク用プロトコルデータユニットを受信するための第１媒体アクセス制御モジュール及び双方向プロトコルデータユニットを受信するための第２媒体アクセス制御モジュールを提供する段階と、前記第１媒体アクセス制御モジュールが移動端末から単方向方式で前記アップリンク用プロトコルデータユニットを受信する段階と、前記アップリンク用プロトコルデータユニットに含まれた第１インジケータによって前記アップリンク用プロトコルデータユニットに制御情報が存在するか否かを確認する段階と、前記第１媒体アクセス制御モジュールが前記制御情報を受信する段階とを含む。
【００３０】
詳細には、前記第１媒体アクセス制御モジュールは、ＭＡＣ−ｅモジュールであり、前記第２媒体アクセス制御モジュールは、ＭＡＣ−ｄモジュールである。前記アップリンク用プロトコルデータユニットは、専用チャネルで受信され、前記専用チャネルは、Ｅ−ＤＣＨである。さらに、前記専用チャネルは、Ｅ−ＤＰＤＣＨでもよい。
【００３１】
また、前記制御情報は、移動端末のバッファ状態情報を含み、前記バッファ状態情報は、少なくとも前記移動端末により伝送されるデータ量を含む。また、前記制御情報は、移動端末の電力状態情報、専用チャネルの伝送開始時間及び伝送時間間隔情報を含む。
【００３２】
より詳細には、前記方法は、前記アップリンク用プロトコルデータユニットに含まれた第２インジケータにより前記アップリンク用プロトコルデータユニットに含まれた前記制御情報のタイプを判断し、前記制御情報のタイプにより前記制御情報を受信する段階をさらに含む。前記アップリンク用プロトコルデータユニットは、前記制御情報を受信するネットワークノードのタイプを示す第２インジケータを含み、前記ネットワークノードのタイプは、Ｎｏｄｅ  Ｂ及びＳＲＮＣのうち少なくとも１つである。
【００３３】
本発明のさらに他の実施形態において、無線通信システムにおけるアップリンク用プロトコルデータユニット伝送装置は、前記アップリンク用プロトコルデータユニットを生成するための第１媒体アクセス制御モジュール及び双方向プロトコルデータユニットを生成するための第２媒体アクセス制御モジュールを提供する手段と、前記第１媒体アクセス制御モジュールにおいて制御情報を生成する手段と、前記アップリンク用プロトコルデータユニットに前記制御情報を含める手段と、前記アップリンク用プロトコルデータユニットに前記制御情報の存在を示す第１インジケータを含める手段と、前記アップリンク用プロトコルデータユニットを単方向方式でネットワークに伝送する手段とを含む。
【００３４】
本発明のさらに他の実施形態において、無線通信システムにおけるプロトコルデータユニット伝送システムは、前記プロトコルデータユニットを生成するための媒体アクセス制御モジュールを提供する手段と、前記媒体アクセス制御モジュールにおいて少なくともバッファ状態情報を含む制御情報を生成する手段と、前記プロトコルデータユニットに前記制御情報を含める手段と、前記プロトコルデータユニットに前記制御情報の存在を示す第１インジケータを含める手段と、前記プロトコルデータユニットを受信側に伝送して前記受信側の媒体アクセス制御モジュールが前記制御情報を活用できるようにする手段とを含む。
【００３５】
本発明についての前記一般的な説明と以下の詳細な説明は、単に実施形態を提示して説明をするためのものであり、本発明についての追加的な説明のために記載されたものであることが明白である。
【発明の効果】
【００３６】
本発明は、ＭＡＣ  ＰＤＵをＭＡＣ制御ＰＤＵとＭＡＣデータＰＤＵに分け、前記送信側及び受信側のＭＡＣ層が前記２つのタイプのＭＡＣ  ＰＤＵを識別できるようにＭＡＣヘッダに識別子を含め、前記ＭＡＣ層で生成された前記ＭＡＣ制御ＰＤＵによりＥ−ＤＣＨ伝送のアップリンク又はダウンリンク制御情報を伝送する。従って、本発明は、端末のデータ伝送に必要な制御情報を効果的に伝送し、前記制御情報を容易に拡張することができる。
【発明を実施するための最良の形態】
【００３７】
本発明は、制御情報と該制御情報の存在を示すインジケータを含むプロトコルデータユニットを伝送する方法に関する。本発明は、ＵＭＴＳのような移動通信システムで実現される。しかしながら、本発明は、ＣＤＭＡ２０００システムのような他の標準に準拠した通信システムにも適用できる。
【００３８】
好ましい実施形態において、本発明は、端末（ＵＥ）のデータ伝送に要求される制御情報を効果的に伝送及び拡張するために、ＭＡＣ（Ｍｅｄｉｕｍ  Ａｃｃｅｓｓ  Ｃｏｎｔｒｏｌ）層で生成されたＭＡＣ制御プロトコルデータユニット（ＭＡＣ制御ＰＤＵ）によりＥ−ＤＣＨのアップリンク又はダウンリンク制御情報を伝送するための方法を提供する。
【００３９】
このような目的のために、送信側のＭＡＣ層が送受信するＭＡＣ  ＰＤＵは、ＭＡＣ制御ＰＤＵとＭＡＣデータＰＤＵとに分けられる。前記送信側は、前記ＭＡＣ  ＰＤＵのタイプを識別するための識別子又はインジケータを有する前記ＭＡＣ  ＰＤＵを受信側に伝送する。その後、前記受信側は、前記識別子又は前記インジケータを利用して前記受信されたＭＡＣ  ＰＤＵから前記ＭＡＣ制御ＰＤＵを選択的に受信する。前記送信側は、異なる転送チャネルで前記ＭＡＣ制御ＰＤＵと前記ＭＡＣデータＰＤＵを伝送し、前記受信側は、異なる転送チャネルで前記ＭＡＣ制御ＰＤＵと前記ＭＡＣデータＰＤＵを受信する。
【００４０】
好ましくは、少なくとも１つ以上のＭＡＣ制御ＰＤＵが存在する。従って、前記送信側は、前記ＭＡＣ制御ＰＤＵのタイプを識別するための他の識別子又はインジケータを有する前記ＭＡＣ制御ＰＤＵを前記受信側に伝送する。前記受信側は、前記識別子又は前記インジケータを利用して前記受信されたＭＡＣ制御ＰＤＵからＭＡＣ制御ＰＤＵを選択的に受信する。
【００４１】
移動端末が専用チャネルでデータを基地局に伝送する移動通信システムにおいて、前記移動端末と前記基地局のＭＡＣ層間に送受信された前記ＭＡＣ  ＰＤＵは、ＭＡＣ制御ＰＤＵとＭＡＣデータＰＤＵに分けられる。前記ＭＡＣデータＰＤＵは、伝送されるデータを含み、前記ＭＡＣ制御ＰＤＵは、データを伝送するための前記ＭＡＣ層の制御情報を含む。従って、前記移動端末のＭＡＣ層は、前記ＭＡＣ  ＰＤＵのタイプを識別するためのインジケータを有するＭＡＣ  ＰＤＵを前記基地局のＭＡＣ層に伝送する。その後、前記基地局のＭＡＣ層は、前記識別子又は前記インジケータを利用して前記受信されたＭＡＣ  ＰＤＵから前記ＭＡＣ制御ＰＤＵを区別して受信する。
【００４２】
これに対して、前記基地局のＭＡＣ層は、前記ＭＡＣ  ＰＤＵのタイプを識別するためのインジケータを含む前記ＭＡＣ  ＰＤＵを前記端末のＭＡＣ層に伝送することもできる。この場合、前記端末のＭＡＣ層は、前記識別子を利用して前記受信されたＭＡＣ  ＰＤＵから前記ＭＡＣ制御ＰＤＵのみを区別して受信する。
【００４３】
図５に示すように、ＭＡＣ制御ＰＤＵ４０は、制御情報フィールド４２、制御及びデータＰＤＵ識別インジケータ（ｄｉｓｃｒｉｍｉｎａｔｉｎｇ  ｉｎｄｉｃａｔｏｒ：  Ｃ／Ｄ）フィールド４４、及びＭＡＣ制御ＰＤＵタイプインジケータ（ｃｏｎｔｒｏｌ  ＰＤＵ  ｔｙｐｅ  ｉｎｄｉｃａｔｏｒ：  ＣＴＩ）フィールド４６を含む。前記制御情報フィールドは、前記Ｅ−ＤＣＨ伝送のアップリンク制御情報又はダウンリンク制御情報を含む。前記制御情報は、送信側のＭＡＣ層から生成されるか、又は、他の層から前記ＭＡＣ層に転送された制御情報から生成される。前記端末が前記ＭＡＣ制御ＰＤＵを伝送すると、アップリンク制御情報が前記制御情報フィールド４２に含まれ、ＵＴＲＡＮが前記ＭＡＣ制御ＰＤＵを伝送すると、ダウンリンク制御情報が前記制御情報フィールド４２に含まれる。
【００４４】
前記Ｃ／Ｄフィールド４４は、該当ＭＡＣ  ＰＤＵがＭＡＣ制御ＰＤＵであるか、ＭＡＣデータＰＤＵであるかを示す。該当ＭＡＣ  ＰＤＵが受信されると、前記受信側は、前記ＭＡＣ  ＰＤＵのＣ／Ｄフィールド４４を読み出すことにより、前記受信されたＭＡＣ  ＰＤＵのタイプが前記ＭＡＣ制御ＰＤＵであるか、ＭＡＣデータＰＤＵであるかを判断する。好ましくは、前記Ｃ／Ｄフィールド４４は、ＭＡＣヘッダの最前部、すなわち、最左側に位置する。
【００４５】
前記該当ＭＡＣ  ＰＤＵがＭＡＣ制御ＰＤＵである場合、前記ＣＴＩフィールド４６は、前記ＭＡＣ制御ＰＤＵがどのタイプのＭＡＣ制御ＰＤＵであるかを示す。例えば、前記ＣＴＩフィールドは、前記ＭＡＣ制御ＰＤＵが移動端末のバッファ状態情報を含むＭＡＣ制御ＰＤＵであるか、移動端末の電力状態情報を含むＭＡＣ制御ＰＤＵであるか、Ｅ−ＤＣＨの伝送開始時間及び伝送時間間隔情報を含むＭＡＣ制御ＰＤＵであるかを示す。前記該当ＭＡＣ制御ＰＤＵが受信されると、前記受信側は、前記ＭＡＣ  ＰＤＵに含まれた前記ＣＴＩフィールド４６を読み出すことにより、前記ＭＡＣ制御ＰＤＵがどのタイプのＭＡＣ制御ＰＤＵであるかを判断できる。
【００４６】
前記ＭＡＣデータＰＤＵは、ＭＡＣヘッダと上位層から受信されたＳＤＵを組み合わせることで生成される。前記ＭＡＣヘッダは、前記Ｃ／Ｄフィールド４４のみを含む。好ましくは、前記Ｃ／Ｄフィールドは、前記ＭＡＣヘッダの最前部、すなわち、最左側に位置する。前記ＭＡＣ  ＰＤＵを受信すると、前記受信側は、前記Ｃ／Ｄフィールド４４を確認することにより、前記受信されたＭＡＣ  ＰＤＵが前記ＭＡＣ制御ＰＤＵであるか、ＭＡＣデータＰＤＵであるかを判断できる。前記ＭＡＣデータＰＤＵは、前記ＭＡＣ層により前記上位層から受信されたデータから生成されるが、前記ＭＡＣ制御ＰＤＵは、前記上位層から受信されたデータに関係なく、前記ＭＡＣ層に伝送される制御情報が存在するとき、前記ＭＡＣ層により生成される。
【００４７】
図６は、本発明の一実施形態による送信側の制御情報伝送方法を示す図である。ここで、前記ＭＡＣ層はＭＡＣ−ｅ層５０に該当し、前記ＭＡＣデータＰＤＵはＭＡＣ−ｅデータＰＤＵ５２に該当し、前記ＭＡＣ制御ＰＤＵはＭＡＣ−ｅ制御ＰＤＵ５４に該当する。伝送される制御情報が存在する場合、前記ＭＡＣ−ｅ層５０は、該当制御情報を含むＭＡＣ−ｅ制御ＰＤＵ５４を生成する。前記生成されたＭＡＣ−ｅ制御ＰＤＵ５４は、前記Ｅ−ＤＣＨで物理層５６に伝送される。前記物理層５６は、Ｅ−ＤＰＤＣＨで前記ＭＡＣ−ｅ制御ＰＤＵ５４を前記受信側の物理層に伝送する。
【００４８】
前記ＭＡＣ−ｅ制御ＰＤＵ５４を受信すると、前記受信側の物理層は、該当ＰＤＵを前記受信側のＭＡＣ−ｅ層に伝送する。前記受信側のＭＡＣ−ｅ層は、該当ＰＤＵに含まれたＣ／Ｄフィールドを利用して前記受信されたＰＤＵが制御ＰＤＵであるか、データＰＤＵであるかを判断する。前記Ｃ／Ｄフィールドが前記ＭＡＣ−ｅ制御ＰＤＵを示す場合、前記受信側のＭＡＣ−ｅ層は、前記ＭＡＣ−ｅ制御ＰＤＵに含まれたＣＴＩフィールドを利用して前記ＭＡＣ−ｅ制御ＰＤＵのタイプを判断する。その後、前記受信側のＭＡＣ−ｅ層は、前記ＭＡＣ−ｅ制御ＰＤＵのタイプによって前記ＭＡＣ−ｅ制御ＰＤＵの制御情報を受信する。
【００４９】
例えば、前記ＣＴＩフィールドが前記ＭＡＣ−ｅ制御ＰＤＵが移動端末のバッファ状態情報であることを示す場合、前記受信側のＭＡＣ−ｅ層は、前記ＭＡＣ−ｅ制御ＰＤＵの制御情報から前記移動端末のバッファに含まれた伝送されるデータ量に関する情報を受信することができる。また、前記受信されたＣＴＩフィールドが前記ＭＡＣ−ｅ制御ＰＤＵがＥ−ＤＣＨの伝送開始時間及び伝送時間間隔情報であることを示す場合、前記受信側のＭＡＣ−ｅ層は、前記Ｅ−ＤＣＨでデータを伝送するための開始時間及び前記伝送時間間隔の長さに関する情報を受信することができる。
【００５０】
本発明の好ましい実施形態において、前記ＭＡＣ層は、同一タイプの転送チャネル又は異なるタイプの転送チャネルで前記ＭＡＣ制御ＰＤＵ及び前記ＭＡＣデータＰＤＵを送受信できる。例えば、前記ＭＡＣ層が同一タイプの転送チャネルで前記ＭＡＣ制御ＰＤＵ及びＭＡＣデータＰＤＵを送受信する場合、前記ＭＡＣ層は、第１Ｅ−ＤＣＨで前記ＭＡＣ制御ＰＤＵを送受信し、第２Ｅ−ＤＣＨでＭＡＣデータＰＤＵを送受信する。しかしながら、前記ＭＡＣ層が異なる転送チャネルでそれぞれ前記ＭＡＣ制御ＰＤＵ及び前記ＭＡＣデータＰＤＵを送受信する場合、前記ＭＡＣ層は、ＤＣＨで前記ＭＡＣ制御ＰＤＵを送受信し、Ｅ−ＤＣＨでＭＡＣデータＰＤＵを送受信する。
【００５１】
前記送信側が移動端末であり、前記受信側がＵＴＲＡＮである場合、前記端末のＭＡＣ層は、前記ＭＡＣ制御ＰＤＵが到着するシステムノードを指定する。例えば、前記ＣＴＩフィールドを利用して、前記端末は、前記Ｎｏｄｅ  Ｂにより受信されるＭＡＣ制御ＰＤＵ及びＳＲＮＣにより受信されるＭＡＣ制御ＰＤＵを指定する。
【００５２】
従って、前記Ｎｏｄｅ  ＢのＭＡＣ−ｅサブレイヤは、前記受信されたＭＡＣ制御ＰＤＵに含まれたＣＴＩフィールドを読み出し、該当ＭＡＣ制御ＰＤＵがＮｏｄｅ  Ｂにより受信されるか、ＳＲＮＣにより受信されるかを判断する。前記ＣＴＩフィールドが前記ＭＡＣ制御ＰＤＵの前記Ｎｏｄｅ  Ｂからの受信を示す場合、前記Ｎｏｄｅ  Ｂは、前記ＭＡＣ制御ＰＤＵに含まれた制御情報を受信する。前記ＣＴＩフィールドが前記ＭＡＣ制御ＰＤＵの前記ＳＲＮＣからの受信を示す場合、前記Ｎｏｄｅ  ＢのＭＡＣ−ｅサブレイヤが前記ＭＡＣ制御ＰＤＵに含まれた制御情報を前記ＳＲＮＣに位置するＭＡＣ−ｄサブレイヤに伝送する。このように、前記ＭＡＣ−ｄサブレイヤは、前記受信されたＭＡＣ制御ＰＤＵに含まれた制御情報を受信する。
【００５３】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【００５４】
本実施形態は、ソフトウェア、ファームウエア、ハードウェア又はこれらの組み合わせを生産するための標準プログラミング及び／又はエンジニアリング技術を利用して製造方法、装置又は製造物として実行できる。ここで、「製造物」という用語は、ハードウェアロジック（例：  集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例：  ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例：  ＥＥＰＲＯＭ、ＲＯＭ、ＰＲＯＭ、ＲＡＭ、ＤＲＡＭ、ＳＲＡＭ、ファームウエア、プログラムロジックなど）において実行されるコードやロジックを示す。
【００５５】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空間を通じて伝達される信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【００５６】
本発明の精神や重要な特性から外れないように多様な形態で本発明を実現することにより、前述した実施形態のいずれの細部的な記載内容によっても限定されず、添付された請求範囲に定義されたように本発明の精神や範囲内で広範囲に解釈されるべきであることを認識しなければならず、本発明の技術的保護範囲は、添付された特許請求の範囲の技術的思想により決定されるべきである。
【図面の簡単な説明】
【００５７】
発明の理解を容易にするために添付され、本明細書の一部を構成する図面は、発明の多様な実施形態を示し、明細書と共に発明の原理を説明するためのものである。
【図１】従来のＵＭＴＳネットワーク構造を示すブロック図である。
【図２】３ＧＰＰ無線接続網標準による従来のインタフェースプロトコルの構成を示すブロック図である。
【図３】ＤＣＨ及びＥ−ＤＣＨの従来の構造を示す図である。
【図４】Ｅ−ＤＣＨの従来のプロトコルモデルを示す図である。
【図５】本発明の一実施形態によるＭＡＣ制御ＰＤＵの構造を示す図である。
【図６】本発明の一実施形態による送信側の制御情報伝送方法を示すブロック図である。
【図１】
2007523520.tif 000003
【図２】
2007523520.tif 000004
【図３】
2007523520.tif 000005
【図４】
2007523520.tif 000006
【図５】
2007523520.tif 000007
【図６】
2007523520.tif 000008
【国際調査報告】
2007523520.tif 000009
2007523520.tif 000010